(57)【要約】【課題】赤外線通信モジュールを用いて人体を検知できる人体検知装置およびそれを用いた加熱調理器を提供する。【解決手段】送受信が同時に可能な赤外線通信モジュール１０と、赤外線通信モジュール１０の赤外線による送受信を制御する制御装置１００とを備える。上記制御装置１００は、予め設定されたパターンの送信信号を赤外線通信モジュール１０から赤外線で送出させる送信制御部１００aと、人体を含む対象物から反射された赤外線を受けた赤外線通信モジュール１０からの受信信号が入力される受信制御部１００bと、受信制御部１００bに入力された赤外線通信モジュール１０からの受信信号のパターンが、送信信号の予め設定されたパターンと略一致するとき、人体を含む対象物があると判定する判定部１００cとを有する。【選択図】図２
2013185997.tif 000002
【特許請求の範囲】
【請求項１】
送受信が同時に可能な赤外線通信モジュールと、
上記赤外線通信モジュールの赤外線による送受信を制御する制御装置と
を備え、
上記制御装置は、
予め設定されたパターンの送信信号を上記赤外線通信モジュールから赤外線で送出させる送信制御部と、
人体を含む対象物から反射された上記赤外線を受けた上記赤外線通信モジュールからの受信信号が入力される受信制御部と、
上記受信制御部に入力された上記赤外線通信モジュールからの上記受信信号のパターンが、上記送信信号の上記予め設定されたパターンと略一致するとき、上記人体を含む対象物があると判定する判定部とを有することを特徴とする人体検知装置。
【請求項２】
請求項１に記載の人体検知装置において、
上記制御装置は、上記送信制御部と上記受信制御部による上記赤外線通信モジュールの送受信および上記判定部による判定を時間間隔をあけて繰り返すことを特徴とする人体検知装置。
【請求項３】
請求項１または２に記載の人体検知装置において、
上記制御装置は、上記送信制御部と上記受信制御部により上記赤外線通信モジュールを介して外部機器との間で通信を行うことを特徴とする人体検知装置。
【請求項４】
請求項１から３までのいずれか１つに記載の人体検知装置において、
上記赤外線通信モジュールの近傍に配置された表示部を備え、
上記制御装置は、
上記判定部が上記人体を含む対象物がないと判定すると、上記表示部の表示を消すかまたは予め設定された待機画面を表示させる一方、
上記判定部が上記人体を含む対象物があると判定すると、上記表示部により予め設定された画面を表示させることを特徴とする人体検知装置。
【請求項５】
請求項１から４までのいずれか１つに記載の人体検知装置において、
音声を出力する音声出力装置を備え、
上記制御装置は、上記判定部が上記人体を含む対象物があると判定すると、上記音声出力装置に予め設定された音声を出力させることを特徴とする人体検知装置。
【請求項６】
請求項１から５までのいずれか１つに記載の人体検知装置を備えたことを特徴とする加熱調理器。
【発明の詳細な説明】
【技術分野】
【０００１】
この発明は、人体検知装置およびそれを用いた加熱調理器に関する。
【背景技術】
【０００２】
従来、人体検知装置としては、反射型の非接触アクティブセンサからの反射信号レベルのデータを周期的にサンプリングして、人体があるかどうかを判定するものがある(例えば、特開２００４−２６４１６６号公報(特許文献１)参照)。
【０００３】
ところで、上記人体検知装置を用いた装置では、人体を検知するための専用のセンサを新しく組み込まなければならないという問題がある。このような人体を検知する専用のセンサを組み込む場合、装置のコストが高くなる。
【先行技術文献】
【特許文献】
【０００４】
【特許文献１】特開２００４−２６４１６６号公報
【発明の概要】
【発明が解決しようとする課題】
【０００５】
そこで、この発明の課題は、赤外線通信モジュールを用いて人体を検知できる人体検知装置およびそれを用いた加熱調理器を提供することにある。
【課題を解決するための手段】
【０００６】
上記課題を解決するため、この発明の人体検知装置は、
送受信が同時に可能な赤外線通信モジュールと、
上記赤外線通信モジュールの赤外線による送受信を制御する制御装置と
を備え、
上記制御装置は、
予め設定されたパターンの送信信号を上記赤外線通信モジュールから赤外線で送出させる送信制御部と、
人体を含む対象物から反射された上記赤外線を受けた上記赤外線通信モジュールからの受信信号が入力される受信制御部と、
上記受信制御部に入力された上記赤外線通信モジュールからの上記受信信号のパターンが、上記送信信号の上記予め設定されたパターンと略一致するとき、上記人体を含む対象物があると判定する判定部とを有することを特徴とする。
【０００７】
上記構成によれば、赤外線通信モジュールを用いて例えばＩrＤＡ(Infrared Data Association)規格に基づく光通信を使わないとき、制御装置の送信制御部によって、予め設定されたパターンの送信信号を赤外線通信モジュールから赤外線で送出する。同時に、制御装置の受信制御部によって、人体を含む対象物から反射された上記赤外線を受けた赤外線通信モジュールからの受信信号を入力する。そうして、制御装置の判定部によって、受信制御部に入力された赤外線通信モジュールからの受信信号のパターンが、上記送信信号の予め設定されたパターンと一致するとき、人体を含む対象物があると判定することが可能になる。これにより、赤外線通信モジュールを人体検知用センサとして用いることができる。したがって、人体検知用センサを新たに備える必要がない。なお、上記赤外線通信モジュールの受信信号の強度や受信信号の精度を判定する判定手段を備えることによって、人体を含む対象物がどのくらい人体検知装置に近づいたか判定することも可能になる。
【０００８】
また、一実施形態の人体検知装置では、
上記制御装置は、上記送信制御部と上記受信制御部による上記赤外線通信モジュールの送受信および上記判定部による判定を時間間隔をあけて繰り返す。
【０００９】
上記実施形態によれば、制御装置は、送信制御部と受信制御部による赤外線通信モジュールの送受信および判定部による判定を時間間隔をあけて繰り返すことによって、制御装置の処理量および消費電力を低減でき、省エネルギー化が図れる。
【００１０】
また、一実施形態の人体検知装置では、
上記制御装置は、上記送信制御部と上記受信制御部により上記赤外線通信モジュールを介して外部機器との間で通信を行う。
【００１１】
上記実施形態によれば、制御装置は、送信制御部と受信制御部により赤外線通信モジュールを介して外部機器との間で通信を行うので、１つの赤外線通信モジュールにより通信機能と人体検知機能の両方を兼ね備えることができる。
【００１２】
また、一実施形態の人体検知装置では、
上記赤外線通信モジュールの近傍に配置された表示部を備え、
上記制御装置は、
上記判定部が上記人体を含む対象物がないと判定すると、上記表示部の表示を消すかまたは予め設定された待機画面を表示させる一方、
上記判定部が上記人体を含む対象物があると判定すると、上記表示部により予め設定された画面を表示させる。
【００１３】
上記実施形態によれば、判定部が人体を含む対象物がないと判定すると、制御装置によって、表示部の表示を消すかまたは予め設定された待機画面を表示させる。一方、判定部が人体を含む対象物があると判定すると、制御装置によって、表示部により予め設定された画面を表示させる。例えば、加熱調理器において、人が離れて調理が行われないときは、表示部の表示が消され、人が加熱調理器に近づくと、表示部によりメニュー選択画面などを表示する。これにより、状況に応じた最適な動作が可能になる。
【００１４】
また、一実施形態の人体検知装置では、
音声を出力する音声出力装置を備え、
上記制御装置は、上記判定部が上記人体を含む対象物があると判定すると、上記音声出力装置に予め設定された音声を出力させる。
【００１５】
上記実施形態によれば、判定部が上記人体を含む対象物があると判定すると、制御装置によって、音声出力装置に予め設定された音声を出力させる。例えば、自動販売機や券売機などにおいて、人が近づくと、音声出力装置により購入操作の案内などを行う。これにより、常に音声を出力するのではなく、人が近づいて必要なときに音声を出力でき、状況に応じた最適な動作が可能になる。
【００１６】
また、この発明の加熱調理器では、
上記のいずれか１つの人体検知装置を備えたことを特徴とする。
【００１７】
上記構成によれば、人体検知装置を備えることによって、通信機能と人体検知機能を兼ね備えた高機能な加熱調理器を実現できる。
【発明の効果】
【００１８】
以上より明らかなように、この発明によれば、赤外線通信モジュールを用いて人体を検知できる人体検知装置およびそれを用いた加熱調理器を実現することができる。
【図面の簡単な説明】
【００１９】
【図１】図１はこの発明の実施の一形態の人体検知装置を用いた加熱調理器の正面斜視図である。
【図２】図２は上記加熱調理器の制御ブロック図である。
【図３】図３は人体検知時に制御装置から赤外線通信モジュールを介して送信される赤外線データの一例を示す図である。
【図４】図４は４ＭbpsのフレームフォーマットのＩrＤＡデータの構成を示す図である。
【発明を実施するための形態】
【００２０】
以下、この発明の人体検知装置を図示の実施の形態により詳細に説明する。
【００２１】
図１はこの発明の実施の一形態の人体検知装置を用いた加熱調理器の正面斜視図である。
【００２２】
この加熱調理器は、図１に示すように、直方体形状のケーシング１の正面に、下端側の辺を略中心に回動する扉２が取り付けられている。この扉２の上部にハンドル３を取り付けると共に、扉２の略中央に耐熱ガラス４を取り付けている。また、扉２の右側に操作部の一例としての操作パネル５を設けている。この操作パネル５は、表示部の一例としての液晶表示部６とボタン群からなる操作部７を有している。また、ケーシング１の上側かつ右側後方に排気ダクト８を設けている。さらに、ケーシング１の扉２の下方に、露受容器９を着脱自在に取り付けている。
【００２３】
図２は上記加熱調理器の制御ブロック図を示している。この加熱調理器は、図２に示すように、マイクロコンピュータと入出力回路などからなる制御装置１００を備えている。この制御装置１００は、操作部７と、液晶表示部６と、赤外線通信モジュール１０と、音声出力装置１１と、庫内温度センサ１２と、ケーシング１内の加熱庫(図示せず)を加熱するための加熱ヒータ２０と、加熱庫内の食品をマイクロ波で加熱するマグネトロン３０と、加熱庫内に蒸気を供給する蒸気発生装置４０と、給水タンク(図示せず)の水を蒸気発生装置４０に供給する給水ポンプ５０が接続されている。
【００２４】
上記赤外線通信モジュール１０は、図示しない光送信部と光受信部とを有し、携帯電話などの携帯情報端末との間で、ＩrＤＡ規格に基づいて赤外線による光無線データ通信を行う。この加熱調理器では、携帯電話からオリジナル料理の写真画像のデータを受信して、オリジナルメニューとして登録する。
【００２５】
また、上記制御装置１００は、赤外線通信モジュール１０から赤外線で送信信号を送出させる送信制御部１００aと、赤外線通信モジュール１０からの受信信号が入力される受信制御部１００bと、人体を含む対象物があるか否かを判定する判定部１００cとを有する。
【００２６】
上記赤外線通信モジュール１０と制御装置１００の送信制御部１００aと受信制御部１００bと判定部１００cで人体検知装置を構成している。上記赤外線通信モジュール１０は、通信距離０.３ｍでかつ軸に対して３０°の円錐の範囲内でＩrＤＡ規格に基づく光無線データ通信が可能であり、この範囲内において、人体検知装置により人体を含む対象物を確実に検知することができる。なお、赤外線通信モジュール１０は、ＩrＤＡ規格に基づく光無線データ通信においては、送受信を交互に行う半二重通信方式であるが、人体検知では、送受信が同時に可能である。
【００２７】
このような加熱調理器において、人が離れて調理が行われないときは、判定部１００cが人体を含む対象物がないと判定すると、制御装置１００は液晶表示部６の表示を消す一方、加熱調理器に人が近づくと、判定部１００cが人体を含む対象物があると判定して、制御装置１００は液晶表示部６にメニュー選択画面などを表示させる。
【００２８】
上記構成の人体検知装置によれば、赤外線通信モジュール１０を用いて例えばＩrＤＡ(Infrared Data Association)通信を使わないとき、制御装置１００の送信制御部１００aによって、予め設定されたパターンの送信信号を赤外線通信モジュール１０から赤外線で送出する。同時に、制御装置１００の受信制御部１００bによって、人体を含む対象物から反射された赤外線を受けた赤外線通信モジュール１０からの受信信号を入力する。そうして、制御装置１００の判定部１００cによって、受信制御部１００bに入力された赤外線通信モジュール１０からの受信信号のパターンが、送信信号の予め設定されたパターンと略一致するとき、人体を含む対象物があると判定することが可能になる。これにより、赤外線通信モジュール１０を人体検知用センサとして用いることができる。したがって、人体検知用センサを新たに備える必要がない。
【００２９】
なお、判定部１００cは、赤外線通信モジュール１０からの受信信号のパターンと送信信号の予め設定されたパターンとが完全に一致するとき、人体を含む対象物があると判定してもよいし、赤外線通信モジュール１０からの受信信号のパターンと送信信号の予め設定されたパターンとが例えば８０％以上一致するとき、人体を含む対象物があると判定してもよい。
【００３０】
図３は人体検知時に制御装置１００から赤外線通信モジュール１０を介して送信される赤外線データの一例を示している。図３に示す赤外線データのパターンは、１００バイトの情報(Ｉｎｆｏｒｍａｔｉｏｎ)を有している。この１００バイトの情報(Ｉｎｆｏｒｍａｔｉｏｎ)は、例えば、図４に示す４ＭbpsのフレームフォーマットのＩrＤＡデータに含まれる情報(Ｉｎｆｏｒｍａｔｉｏｎ)である。
【００３１】
図４に示すように、ＩrＤＡデータは、プリアンブル(ＰＡ)、開始フラグ(ＳＴＡ)、アドレス(ＡＤＤＲＥＳＳ)、コントロール(Ｃｏｎｔｒｏｌ)、情報(Ｉｎｆｏｒｍａｔｉｏｎ)、ＣＣＩＴＴ ３２ＢＩＴ Ｆｒａｍｅ ＣＲＣ(ＦＣＳ)、終了フラグ(ＳＴＯ)からなる。
【００３２】
また、赤外線通信モジュール１０の受信信号の強度や受信信号の精度を判定する判定手段を備えることによって、人体を含む対象物がどのくらい人体検知装置に近づいたか判定することも可能になる。
【００３３】
また、上記制御装置１００は、送信制御部１００aと受信制御部１００bによる赤外線通信モジュール１０の送受信および判定部１００cによる判定を時間間隔をあけて繰り返すことによって、制御装置１００の処理量および消費電力を低減でき、省エネルギー化が図れる。
【００３４】
また、上記制御装置１００は、送信制御部１００aと受信制御部１００bにより赤外線通信モジュール１０を介して外部機器との間で通信を行うので、１つの赤外線通信モジュール１０により通信機能と人体検知機能の両方を兼ね備えることができる。
【００３５】
また、上記加熱調理器から人が離れて調理が行われないときは、判定部１００cが人体を含む対象物がないと判定すると、制御装置１００によって、液晶表示部６の表示を消す一方、加熱調理器に人が近づくと、判定部１００cが人体を含む対象物があると判定すると、制御装置１００によって、液晶表示部６に予め設定された画面としてメニュー選択画面などを表示させる。これにより、状況に応じた最適な動作が可能になる。
【００３６】
なお、液晶表示部６の表示を消す代わりに、液晶表示部６に予め設定された待機画面を表示させてもよい。
【００３７】
また、上記判定部１００cが人体を含む対象物があると判定すると、制御装置１００によって、音声出力装置１１に予め設定された音声を出力させることにより、常に音声を出力するのではなく、人が近づいて必要なときに音声を出力でき、状況に応じた最適な動作が可能になる。
【００３８】
また、上記構成の加熱調理器によれば、人体検知装置を備えることによって、通信機能と人体検知機能を兼ね備えた高機能な加熱調理器を実現できる。
【００３９】
上記実施の形態では、人体検知装置を用いた加熱調理器について説明したが、加熱調理器に限らず、電気製品、自動販売機、券売機等にこの発明の人体検知装置を用いてもよい。
【００４０】
この発明の具体的な実施の形態について説明したが、この発明は上記実施の形態に限定されるものではなく、この発明の範囲内で種々変更して実施することができる。
【符号の説明】
【００４１】
１…ケーシング
２…扉
３…ハンドル
４…耐熱ガラス
５…操作パネル
６…液晶表示部
７…操作部
８…排気ダクト
９…露受容器
１０…赤外線通信モジュール
１１…音声出力装置
２０…加熱ヒータ
３０…マグネトロン
４０…蒸気発生装置
５０…蒸気発生装置
１００…制御装置
１００a…送信制御部
１００b…受信制御部
１００c…判定部
【図１】
2013185997.tif 000003
【図２】
2013185997.tif 000004
【図３】
2013185997.tif 000005
【図４】
2013185997.tif 000006